【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
内部に封入された遊技媒体を用いて遊技を行なう封入式の遊技機と、該遊技機と通信可能に接続され、記録媒体を受付けて該記録媒体に記録されている記録情報により特定される遊技者所有の有価価値を用いて該遊技機での遊技を可能にする遊技用装置とを備える遊技用システムであって、
前記遊技用装置は、
前記記録媒体を受付ける記録媒体受付部と、
遊技を行なう遊技者を特定する遊技者特定情報を読取る遊技者特定情報読取手段と、
該遊技者特定情報読取手段により読取られた遊技者特定情報を前記遊技機へ送信する制御を行なう遊技者特定情報送信制御手段とを含み、
前記遊技機は、
前記遊技者特定情報送信制御手段の制御により送信されてきた遊技者特定情報を記憶する遊技者特定情報記憶手段と、
前記遊技者特定情報送信制御手段の制御により遊技者特定情報が送信されてきたことに基づいて、該送信されてきた遊技者特定情報と前記遊技者特定情報記憶手段に記憶されている遊技者特定情報とにより同一の遊技者が特定されるか否かを判定する同一判定処理を行なう同一判定手段とを含む、遊技用システム。
【請求項２】
内部に封入された遊技媒体を用いて遊技を行なう封入式の遊技機と通信可能に接続され、遊技者所有の遊技用価値を用いて該遊技機での遊技を可能にする遊技用装置であって、
記録媒体を受付ける記録媒体受付部と、
前記遊技機により遊技を行なう遊技者を特定する遊技者特定情報を読取る遊技者特定情報読取手段と、
該遊技者特定情報読取手段により読取られた遊技者特定情報を前記遊技機へ送信する制御を行なう遊技者特定情報送信制御手段とを含み、
前記遊技者特定情報送信制御手段は、遊技者の同一性を前記遊技機に判定させるための情報として、該遊技者特定情報を前記遊技機へ送信する制御を行なう、遊技用装置。
【請求項３】
記録媒体を受付けて該記録媒体に記録されている記録情報により特定される遊技者所有の有価価値を遊技に使用可能にする遊技用装置と通信可能に接続され、内部に封入された遊技媒体を用いて遊技を行なう封入式の遊技機であって、
遊技を行なう遊技者を特定する遊技者特定情報を受信して記憶する遊技者特定情報記憶手段と、
受信した遊技者特定情報と前記遊技者特定情報記憶手段に記憶されている遊技者特定情報とにより同一の遊技者が特定されるか否かを判定する同一判定処理を行なう同一判定手段とを含む、遊技機。
【請求項４】
記録媒体を受付けて該記録媒体に記録されている記録情報により特定される遊技者所有の有価価値を遊技に使用可能にする遊技用装置と通信可能に接続され、内部に封入された遊技媒体を用いて遊技を行なう封入式の遊技機の遊技枠であって、
遊技を行なう遊技者を特定する遊技者特定情報を受信して記憶する遊技者特定情報記憶手段と、
受信した遊技者特定情報と前記遊技者特定情報記憶手段に記憶されている遊技者特定情報とにより同一の遊技者が特定されるか否かを判定する同一判定処理を行なう同一判定手段とを含む、遊技枠。
【手続補正２】
【補正対象書類名】明細書
【補正対象項目名】発明の名称
【補正方法】変更
【補正の内容】
【発明の名称】遊技用システム、遊技用装置、遊技機および遊技枠
【手続補正３】
【補正対象書類名】明細書
【補正対象項目名】０００６
【補正方法】変更
【補正の内容】
【０００６】
（１）  本発明は、内部に封入された遊技媒体を用いて遊技を行なう封入式の遊技機（パチンコ機２、スロットマシン２Ｓ）と、該遊技機と通信可能に接続（コネクタ３３０、２０、２２０と接続配線）され、記録媒体（カード）を受付けて該記録媒体に記録されている記録情報により特定される遊技者所有の有価価値（プリペイド残高、持玉数、あるいは貯玉数）を用いて該遊技機での遊技を可能にする遊技用装置（カードユニット３）とを備える遊技用システムであって、
前記遊技用装置は、
前記記録媒体を受付ける記録媒体受付部（カード挿入排出口３０９）と、
遊技を行なう遊技者を特定する遊技者特定情報（Ｃ-ＩＤ等）を読取る遊技者特定情報読取手段（カードリーダライタ３２７等）と、
該遊技者特定情報読取手段により読取られた遊技者特定情報を前記遊技機へ送信する制御を行なう遊技者特定情報送信制御手段（図３９；カード挿入後のＣ-ＩＤを含む動作指示を送信するＣＵ通信制御部８０、図４０のＳ３）とを含み、
前記遊技機は、
前記遊技者特定情報送信制御手段の制御により送信されてきた遊技者特定情報を記憶する遊技者特定情報記憶手段（図６、図１１１；表示器用演出制御部２９２の現遊技者遊技履歴データ記憶部）と、
前記遊技者特定情報送信制御手段の制御により遊技者特定情報が送信されてきたことに基づいて、該送信されてきた遊技者特定情報と前記遊技者特定情報記憶手段に記憶されている遊技者特定情報とにより同一の遊技者が特定されるか否かを判定する同一判定処理を行なう同一判定手段（図４０；Ｓ８、Ｓ９）とを含む。
【手続補正４】
【補正対象書類名】明細書
【補正対象項目名】００２２
【補正方法】変更
【補正の内容】
【００２２】
（９）  本発明の他の態様は、内部に封入された遊技媒体を用いて遊技を行なう封入式の遊技機（パチンコ機２、スロットマシン２Ｓ）と通信可能に接続され（図４；ＣＵ通信制御部８０）、遊技者所有の遊技用価値（プリペイド残高、持玉数、あるいは貯玉数）を用いて該遊技機での遊技を可能にする遊技用装置（カードユニット３）であって、
記録媒体を受付ける記録媒体受付部（カード挿入排出口３０９）と、
前記遊技機により遊技を行なう遊技者を特定する遊技者特定情報（Ｃ-ＩＤ等）を読取る遊技者特定情報読取手段（カードリーダライタ３２７等）と、
該遊技者特定情報読取手段により読取られた遊技者特定情報を前記遊技機へ送信する制御を行なう遊技者特定情報送信制御手段（図３９；カード挿入後のＣ-ＩＤを含む動作指示を送信するＣＵ通信制御部８０、図４０のＳ３）とを含み、
前記遊技者特定情報送信制御手段は、遊技者の同一性を前記遊技機に判定させるための情報として、該遊技者特定情報を前記遊技機へ送信する制御を行なう（Ｃ-ＩＤをＰ台へ送信する制御を行なう）。
【手続補正５】
【補正対象書類名】明細書
【補正対象項目名】００３２
【補正方法】変更
【補正の内容】
【００３２】
（１４）  本発明のさらに他の態様は、記録媒体（カード）を受付けて該記録媒体に記録されている記録情報により特定される遊技者所有の有価価値（プリペイド残高、持玉数、あるいは貯玉数）を遊技に使用可能にする遊技用装置（カードユニット３）と通信可能に接続され（Ｐ台通信制御部８１）、内部に封入された遊技媒体を用いて遊技を行なう封入式の遊技機（パチンコ機２、スロットマシン２Ｓ）であって、
遊技を行なう遊技者を特定する遊技者特定情報（Ｃ-ＩＤ等）を受信して記憶する遊技者特定情報記憶手段（図６、図１１１；表示器用演出制御部２９２の現遊技者遊技履歴データ記憶部）と、
受信した遊技者特定情報と前記遊技者特定情報記憶手段に記憶されている遊技者特定情報とにより同一の遊技者が特定されるか否かを判定する同一判定処理を行なう同一判定手段（図４０；Ｓ８、Ｓ９）とを含む。
【手続補正６】
【補正対象書類名】明細書
【補正対象項目名】００４５
【補正方法】変更
【補正の内容】
【００４５】
このような構成によれば、会員用記録媒体が記録媒体受付部に受付けられたことを条件として同一と判定された遊技者に対応する遊技履歴データに対して新たな遊技履歴データが累積して集計されるために、遊技履歴データの引継ぎ集計の利点を会員の遊技者に限定することができ、遊技者が会員になることを促進させることができる。
（２１）  本発明のさらに他の態様は、記録媒体（カード）を受付けて該記録媒体に記録されている記録情報により特定される遊技者所有の有価価値（プリペイド残高、持玉数、あるいは貯玉数）を遊技に使用可能にする遊技用装置（カードユニット３）と通信可能に接続され（Ｐ台通信制御部８１）、内部に封入された遊技媒体を用いて遊技を行なう封入式の遊技機（パチンコ機２、スロットマシン２Ｓ）の遊技枠（前枠５）であって、
遊技を行なう遊技者を特定する遊技者特定情報（Ｃ-ＩＤ等）を受信して記憶する遊技者特定情報記憶手段（図６、図１１１；表示器用演出制御部２９２の現遊技者遊技履歴データ記憶部）と、
受信した遊技者特定情報と前記遊技者特定情報記憶手段に記憶されている遊技者特定情報とにより同一の遊技者が特定されるか否かを判定する同一判定処理を行なう同一判定手段（図４０；Ｓ８、Ｓ９）とを含む。